(57)【要約】【課題】試験しようとする火災検知器の機種を保守員が調べる必要がなく、また、試験しようとする火災検知器についての発光条件を設定する作業が簡素である火災検知器を提供することを目的とするものである。【解決手段】火災検知器の試験器に設けられている試験光源が模擬火炎光を発生し、この発生した模擬火炎光を、火災検知器が受光し、上記火災検知器を試験する火災検知器の試験システムにおいて、上記試験光源の発光条件である試験光源発光条件を記憶する試験光源発光条件記憶手段と、上記試験光源発光条件記憶手段が記憶している上記試験光源発光条件を上記試験器に送信する発光条件送信手段とを有する火災検知器である。【選択図】図１
2009245206.tif 000002
【特許請求の範囲】
【請求項１】
火災検知器の試験器に設けられている試験光源が模擬火炎光を発生し、この発生した模擬火炎光を、火災検知器が受光し、上記火災検知器を試験する火災検知器の試験システムにおいて、
上記試験光源の発光条件である試験光源発光条件を記憶する試験光源発光条件記憶手段と；
上記試験光源発光条件記憶手段が記憶している上記試験光源発光条件を上記試験器に送信する発光条件送信手段と；
を有することを特徴とする火災検知器。
【請求項２】
火災検知器の試験器に設けられている試験光源が模擬火炎光を発生し、この発生した模擬火炎光を、火災検知器が受光し、上記火災検知器を試験する火災検知器の試験システムにおいて、
上記火災検知器が送信した上記試験光源発光条件を受信する発光条件受信手段と；
上記発光条件受信手段が受信した試験光源発光条件を一時的に記憶する一時記憶手段と；
上記一時記憶手段に記憶されている試験光源発光条件に応じた発光パターンに基づいて、上記試験光源を発光させる点滅回路と；
を有することを特徴とする火災検知器の試験器。
【請求項３】
火災検知器の試験器に設けられている試験光源が模擬火炎光を発生し、この発生した模擬火炎光を、火災検知器が受光し、上記火災検知器を試験する火災検知器の試験システムにおいて、
上記火災検知器は、
上記試験光源の発光条件である試験光源発光条件を記憶する試験光源発光条件記憶手段と；
上記試験光源発光条件記憶手段が記憶している上記試験光源発光条件を上記試験器に送信する発光条件送信手段と；
を有する火災検知器であり、
上記火災検知器の試験器は、
上記火災検知器が送信した上記試験光源発光条件を受信する発光条件受信手段と；
上記発光条件受信手段が受信した試験光源発光条件を一時的に記憶する一時記憶手段と；
上記一時記憶手段に記憶されている試験光源発光条件に応じた発光パターンに基づいて、上記試験光源を発光させる点滅回路と；
を有する試験器であることを特徴とする火災検知器の試験システム。
【請求項４】
請求項３において、
上記試験器に試験器用接続手段を設け、上記火災検知器に、検知器用接続手段を設け、上記試験器用接続手段と上記火災検知器用接続手段とが互いに接続されると、上記発光条件送信手段が上記発光条件を送信することを特徴とする火災検知器の試験システム。
【請求項５】
火災検知器の試験器に設けられている試験光源が模擬火炎光を発生し、この発生した模擬火炎光を、火災検知器が受光し、上記火災検知器を試験する火災検知器の試験システムにおいて、
火災検知器の機種に関する情報である機種情報を記憶する機種情報記憶手段と；
上記機種情報記憶手段が記憶している上記機種情報を上記試験器に送信する機種情報送信手段と；
を有することを特徴とする火災検知器。
【請求項６】
火災検知器の試験器に設けられている試験光源が模擬火炎光を発生し、この発生した模擬火炎光を、火災検知器が受光し、上記火災検知器を試験する火災検知器の試験システムにおいて、
上記火災検知器が送信した機種情報を受信する機種情報受信手段と；
上記機種情報受信手段が受信した上記機種情報を一時的に記憶する一時記憶手段と；
上記一時記憶手段に記憶されている機種情報に応じた発光パターンに基づいて、上記試験光源に模擬火炎光を発光させる点滅回路と；
を有することを特徴とする火災検知器の試験器。
【請求項７】
火災検知器の試験器に設けられている試験光源が模擬火炎光を発生し、この発生した模擬火炎光を、火災検知器が受光し、上記火災検知器を試験する火災検知器の試験システムにおいて、
上記火災検知器は、
火災検知器の機種に関する情報である機種情報を記憶する機種情報記憶手段と；
上記機種情報記憶手段が記憶している上記機種情報を上記試験器に送信する機種情報送信手段と；
を有する火災検知器であり、
上記試験器は、
上記機種情報送信手段が送信した上記機種情報を受信する機種情報受信手段と；
上記機種情報受信手段が受信した上記機種情報を一時的に記憶する一時記憶手段と；
上記一時記憶手段に記憶されている機種情報に応じた発光パターンに基づいて、上記試験光源を発光させる点滅回路と；
を有する試験器であることを特徴とする火災検知器の試験システム。
【請求項８】
請求項４において、
上記試験器に試験器用接続部を設け、上記火災検知器に、検知器用接続部を設け、上記試験器用接続手段と上記火災検知器用接続手段とが互いに接続されると、上記機種情報送信手段が上記機種情報を送信することを特徴とする火災検知器の試験システム。
【発明の詳細な説明】
【技術分野】
【０００１】
本発明は、火災検知器の試験システムに関する。
【背景技術】
【０００２】
輻射式の火災検知器における火災の検知方法として、火炎から放射される特定波長帯の輻射エネルギーが一定量以上に達したことを検知する定輻射式、火炎特有のちらつきを検出するちらつき式、さらに複数の波長帯の輻射エネルギーの大きさを比較する２波長式、３波長式等の各種方法が存在する。
【０００３】
これら輻射式の火災検知器の試験を行う試験器は、通常、一定強度かつ一定周期からなる模擬火炎光を生じる。
【０００４】
火災検知器の点検を行う保守員は、試験器を火災検知器に近づけ、その火災検知器に対応した模擬火炎光を生じさせる。これによって、火災検知器が模擬火炎光の光を検出し、火災信号を受信盤に送ることによって、火災検知器が正常に動作しているかどうかを試験する。
【０００５】
ところで、火災検知器における火災の検出方法は、上記のように、複数の種類が存在する。また、設置される場所によっては、異なる検知方法の火災検知器が、混在している場合がある。この場合、保守員は、各種火災検知器に合わせて、試験器から発生させる模擬火炎光の発光条件を設定し直して試験する必要がある（たとえば特許文献１参照）。
【特許文献１】特開２００２−１９７５５７号公報
【発明の開示】
【発明が解決しようとする課題】
【０００６】
上記従来例では、保守員が火災検知器の試験を行う際、試験しようとする火災検知器の機種を調べ、この機種に応じた発光条件を調べ、この調べた発光条件を、試験器に１つ１つ設定する必要があり、発光条件を設定する作業が煩雑であり、また、発光条件を設定するための時間が長いという問題がある。
【０００７】
本発明は、試験しようとする火災検知器の機種を保守員が調べる必要がなく、また、試験しようとする火災検知器についての発光条件を設定する作業が簡素である火災検知器の試験システムを提供することを目的とするものである。
【課題を解決するための手段】
【０００８】
本発明は、火災検知器の試験器に設けられている試験光源が模擬火炎光を発生し、この発生した模擬火炎光を、火災検知器が受光し、上記火災検知器を試験する火災検知器の試験システムにおいて、
上記火災検知器は、上記試験光源の発光条件である試験光源発光条件を記憶する試験光源発光条件記憶手段と、上記試験光源発光条件記憶手段が記憶している上記試験光源発光条件を上記試験器に送信する発光条件送信手段とを有する火災検知器であり、
上記火災検知器の試験器は、上記火災検知器が送信した上記試験光源発光条件を受信する発光条件受信手段と、上記発光条件受信手段が受信した試験光源発光条件を一時的に記憶する一時記憶手段と、上記一時記憶手段に記憶されている試験光源発光条件に応じた発光パターンに基づいて、上記試験光源を発光させる点滅回路とを有する試験器であることを特徴とする火災検知器の試験システムである。
【発明の効果】
【０００９】
本発明によれば、試験しようとする火災検知器の機種を保守員が調べる必要がなく、また、試験しようとする火災検知器についての発光条件を設定する作業が簡素であるという効果を奏する。
【発明を実施するための最良の形態】
【００１０】
発明を実施するための最良の形態は、以下の実施例である。
【実施例１】
【００１１】
図１は、本発明の実施例１である火災検知器の試験システム１００を示す図である。
【００１２】
火災検知器の試験システム１００は、火災検知器ＤＥ１と、火災検知器の試験器Ｔ１とを有する。火災検知器ＤＥ１と、火災検知器の試験器Ｔ１とは、信号線Ｌ１、Ｌ２によって接続されている。また、電源兼信号線Ｌ３を介して、火災検知器ＤＥ１が、防災受信盤３０に接続されている。
【００１３】
火災検知器ＤＥ１は、火炎から放射される輻射光や上記試験器から放射される上記模擬火炎光等を受光する受光手段を有し、制御手段１１と、受光手段１２と、火災判別手段１３と、火災信号送受信手段１４と、試験光源発光条件記憶手段１５と、発光条件送信手段１６と、検知器用接続手段１７と、接続検出手段１８とを有する。
【００１４】
制御手段１１は、火災検知器ＤＥ１の全体を制御する。受光手段１２は、火炎光を受光するフォトダイオードや焦電素子を有する受光回路である。火災判断手段１３は、受光手段１２が受けた火炎光のちらつきや光の強さを分析し、火災かどうかを判断する。
【００１５】
火災信号送受信手段１４は、火災信号を防災受信盤３０に送信し、また、防災受信盤３０から、試験信号を受信する。試験光源発光条件記憶手段１５は、上記試験光源の発光条件である試験光源発光条件を記憶する。発光条件送信手段１６は、上記試験光源発光条件記憶手段が記憶している上記試験光源発光条件を上記試験器に送信する。
【００１６】
検知器用接続手段１７は、信号線Ｌ１を介して、後述の試験器用接続手段２７と接続する。接続検出手段１８は、信号線Ｌ１を介して、検知器用接続手段１７が試験器用接続手段に接続されていることを検出する。
【００１７】
火災検知器の試験器Ｔ１は、試験光源を点滅制御することによって、模擬火炎光を発生し、制御手段２１と、発光条件受信手段２２と、一時記憶手段２３と、点滅回路２４と、試験光源２５と、操作手段２６と、試験器用接続手段２７と、内部電源２８とを有する。
【００１８】
制御手段２１は、火災検知器の試験器Ｔ１の全体を制御する。
【００１９】
発光条件受信手段２２は、火災検知器ＤＥ１が送信した上記試験光源発光条件を受信する。
【００２０】
一時記憶手段２３は、発光条件受信手段２２が受信した試験光源発光条件を一時的に記憶する。
【００２１】
点滅回路２４は、一時記憶手段２３に記憶されている試験光源発光条件に応じた発光パターンに基づいて、試験光源２５を発光させる。試験光源２５は、模擬火炎光を発生する光源であり、１つである必要はなく、火災検知器ＤＥの火災検出方法によって、その数は適宜選択される。たとえば、３波長式の場合、焦電素子は３つ設けられ、試験器Ｔ１側に設けた複数の試験光源のうちで、焦電素子と対応する位置の光源を光らせるようにしてもよい。操作手段２６は、試験器Ｔ１のＯＮとＯＦＦとを切り替える。
【００２２】
試験器用接続手段２７は、信号線Ｌ１を介して、検知器用接続手段１７と接続される。
【００２３】
火災検知器ＤＥ１は、防災受信盤３０と接続され、火災判断手段１３が火災を検知すると、火災である旨を防災受信盤３０へ送信することによって、火災が起きたことを防災受信盤３０へ知らせる。
【００２４】
試験光源発光条件には、光の強さ、色温度、ちらつきの周波数、時間等がある。
【００２５】
図２は、トンネルＴ１に実施例１が設置されている状態を示す図である。
【００２６】
トンネルＴ１の壁Ｗには、距離Ｌごとに、火災検知器ＤＥ１が設置されている。トンネルＴ１内で、火災による火炎４０が発生すると、その火炎４０に近い挟む位置に設置されている火災検知器ＤＥ１が火炎を検出する。
【００２７】
次に、実施例１の動作について説明する。
【００２８】
火災検知器ＤＥ１を試験する場合に試験光源２５を発光する条件である発光条件を、試験光源発光条件記憶手段１５に予め記憶しておく。
【００２９】
そして、火災検知器ＤＥ１を実際に試験する場合、まず、試験器Ｔ１を火災検知器ＤＥ１に押し当て、信号線Ｌ１を介して、検知器用接続手段１７が試験器用接続手段２７に接続される。この接続状態を、接続検出部手段１８が検出すると、試験光源発光条件記憶手段１５に記憶されている発光条件を、発光条件送信手段１６が信号線Ｌ２に送信する。
【００３０】
信号線Ｌ２を介して、発光条件受信手段２２が発光条件を受信すると、制御手段２１は、受信した発光条件に応じたパターンの模擬火炎光を、試験光源２５に発光させる。
【００３１】
この場合、受光手段１２に焦電素子が設けられ、この焦電素子が火炎光を受けると、上記焦電素子が電圧を出力し、この出力電圧がたとえば０．６Ｖ以上であると、火災判断手段１３が火災であると判断する。したがって、焦電素子が０．６Ｖ以上になるように、試験光源２５に模擬火炎光を発生させる。
【００３２】
よって、実施例１によれば、火災検知器ＤＥ１に、試験器Ｔ１を接続さえすれば、火災検知器ＤＥ１に適した模擬火炎光を迅速かつ容易に発生することができる。また、火災検知器ＤＥ１の種類を保守員が知らなくても、火災検知器ＤＥ１に適した模擬火炎光を迅速かつ容易に発生することができる。したがって、火災検知器ＤＥ１の全体の試験時間が短い。
【００３３】
さらに、上記実施例１によれば、火災検知器ＤＥ１と試験器Ｔ１とが接続されたときにのみ、試験器Ｔ１に発光条件を送信すれば足りるので、発光条件を試験器Ｔ１に常時送信する必要がなく、火災検知器ＤＥ１における消費電力を抑えることができる。
【実施例２】
【００３４】
図３は、本発明の実施例２である火災検知器ＤＥ１の試験システム２００を示すブロック図である。
【００３５】
火災検知器の試験システム２００は、火災検知器ＤＥ２と、火災検知器の試験器Ｔ２とを有する。火災検知器ＤＥ２と、火災検知器の試験器Ｔ２とは、信号線Ｌ１、Ｌ２によって接続されている。また、電源兼信号線Ｌ３を介して、火災検知器ＤＥ２が、防災受信盤３０に接続されている。
【００３６】
火災検知器ＤＥ２は、火炎から放射される輻射光や試験器Ｔ２から放射される上記模擬火炎光等を受光する受光手段１２を有する。火災検知器ＤＥ２は、火災検知器ＤＥ１において、制御手段１１の代わりに、制御手段１１ａを設け、発光条件送信手段１６の代わりに、機種情報送信手段１６ａを設け、機種情報記憶手段１５ａを追加したものである。
【００３７】
つまり、火災検知器ＤＥ２は、制御手段１１ａと、受光手段１２と、火災判別手段１３と、火災信号送受信手段１４と、機種情報送信手段１６ａと、検知器用接続手段１７と、接続検出手段１８と、機種情報記憶手段１５ａとを有する。
【００３８】
制御手段１１ａは、火災検知器ＤＥ２の全体を制御する。機種情報記憶手段１５ａは、火災検知器ＤＥ２の機種に関する情報である機種情報を記憶している。機種情報送信手段１６ａは、機種情報記憶手段１５ａが記憶している上記機種情報を上記試験器Ｔ２に送信する。
【００３９】
火災検知器の試験器Ｔ２は、試験光源２５を点滅制御することによって、模擬火炎光を発生する。また、火災検知器の試験器Ｔ２は、火災検知器の試験器Ｔ１において、制御手段２１の代わりに、制御手段２１ａを設け、発光条件受信手段２２の代わりに、機種情報受信手段２２ａを設け、一時記憶手段２３の代わりに、一時記憶手段２３ａを設け、点滅回路２４の代わりに、点滅回路２４ａを設け、機種別情報記憶手段２９ａを追加したものである。
【００４０】
つまり、火災検知器の試験器Ｔ２は、制御手段２１ａと、機種情報受信手段２２ａと、一時記憶手段２３ａと、点滅回路２４と、試験光源２５と、操作手段２６と、試験器用接続手段２７と、内部電源２８と、機種別情報記憶手段２９ａとを有する。
【００４１】
制御手段２１ａは、火災検知器の試験器Ｔ２の全体を制御する。機種情報受信手段２２ａは、火災検知器ＤＥ２が送信した上記機種情報を受信する。一時記憶手段２３ａは、機種情報受信手段２２ａが受信した上記機種情報を一時的に記憶する。点滅回路２４ａは、一時記憶手段２３ａに記憶されている機種情報に応じた発光パターンに基づいて、試験光源２５に、模擬火炎光を発光させる。
【００４２】
機種別情報記憶手段２９ａは、機種情報毎に、火炎光の揺らぎの周波数や、火災発生と判断する焦電素子の出力電圧の閾値（たとえば、０．６Ｖ）を記憶している。つまり、受光手段１２に設けられている焦電素子が火炎光を受けたときに、焦電素子が電圧を出力し、この出力電圧がたとえば０．６Ｖ以上であると、火災判断手段１３が火災であると判断する。したがって、焦電素子がたとえば０．６Ｖ以上になるように、試験光源２５に模擬火炎光を発生させる。
【００４３】
次に、実施例２の動作について説明する。
【００４４】
火災検知器ＤＥ２を試験する場合に、機種名等の機種情報を、機種情報記憶手段１５ａに予め記憶しておく。
【００４５】
火災検知器ＤＥ２を実際に試験する場合、まず、試験器Ｔ２を火災検知器ＤＥ２に押し当て、信号線Ｌ１を介して、検知器用接続手段１７が試験器用接続手段２７に接続されたことを、接続検出部手段１８が検出すると、機種情報記憶手段１５ａに記憶されている機種情報を、機種情報送信手段１６ａが信号線Ｌ２に送信する。
【００４６】
信号線Ｌ２を介して、機種情報受信手段２２ａが機種情報を受信すると、制御手段２１ａは、受信した機種情報に応じたパターンの模擬火炎光を、試験光源２５に発光させる。
【００４７】
この場合、受光手段１２に焦電素子が設けられ、この焦電素子が模擬火炎光を受けると、上記焦電素子が電圧を出力し、この出力電圧がたとえば０．６Ｖ以上であれば、火災判断手段１３が火災であると判断する。したがって、焦電素子がたとえば０．６Ｖ以上になるように、試験光源２５を光らせる。
【００４８】
よって、実施例２によれば、火災検知器ＤＥ２に、試験器Ｔ２を接続さえすれば、火災検知器ＤＥ２に適した模擬火炎光を迅速かつ容易に発生することができる。また、火災検知器ＤＥ２の種類を保守員が知らなくても、火災検知器ＤＥ２に適した模擬火炎光を迅速かつ容易に発生することができる。したがって、火災検知器ＤＥ２の試験時間が短い。
【００４９】
さらに、上記実施例２によれば、火災検知器ＤＥ２と試験器Ｔ２とが接続されたときにのみ、試験器Ｔ２に機種情報を送信すれば足りるので、機種情報を試験器Ｔ２に常時送信する必要がなく、火災検知器ＤＥ２における消費電力を抑えることができる。
【００５０】
また、実施例２において、機種情報として、機種名を使用してもよく、また、機種に対応する符号（ａ、ｂ、ｃ等の符号）を使用するようにしてもよい。
【００５１】
なお、信号線Ｌ１は、有線である必要はない。たとえば、信号線Ｌ１を設ける代わりに、検知器用接続手段１７として、押釦を設け、試験器用接続手段２７として、上記押釦を押下する凸部を設ける等、適宜選択される。
【００５２】
同様に、信号線Ｌ２も有線である必要はなく、たとえば赤外線によるデータ通信方法を採用し、無線としてもよい。
【００５３】
一般に、トンネル用火災検知器の受光部にはガラスカバーが設けられるが、この汚れ具合を検出する機能を備えている火災検知器の場合、この汚れ具合の値に基づいて、発光条件を変更するようにしてもよい。また、試験器側に表示部を設け、発光条件や製品番号、通信状況を表示するようにしてもよい。
【図面の簡単な説明】
【００５４】
【図１】本発明の実施例１である火災検知器の試験システム１００を示す図である。
【図２】トンネルＴ１に実施例１が設置されている状態を示す図である。
【図３】本発明の実施例２である火災検知器ＤＥ１の試験システム２００を示すブロック図である。
【符号の説明】
【００５５】
１００…火災検知器の試験システム、
ＤＥ１…火災検知器、
１１…制御手段、
１２…受光手段、
１３…火災判断手段、
１４…火災信号送受信手段、
１５…試験光源発光条件記憶部、
１６…発光条件送信手段、
１７…検知器用接続手段、
１８…接続検出手段、
Ｔ１…火災検知器の試験器、
２１…制御手段、
２２…発光条件受信手段、
２３…一時記憶手段、
２４…点滅回路、
２５…試験光源、
２７…試験器用接続手段、
Ｌ１、Ｌ２…信号線、
２００…火災検知器の試験システム、
ＤＥ２…火災検知器、
１５ａ…機種情報記憶手段、
１６ａ…機種情報送信手段、
Ｔ２…火災検知器の試験器、
２２ａ…機種情報受信手段、
２９ａ…機種別情報記憶手段。
【図１】
2009245206.tif 000003
【図２】
2009245206.tif 000004
【図３】
2009245206.tif 000005